(57)【特許請求の範囲】
【請求項１】
電気自動車を充電するためのケーブルアセンブリに取り付けられたケーブル設置型充電制御装置に取り付けられるアドオン通信装置であって、
端末装置と無線通信する第１通信部と、
前記ケーブル設置型充電制御装置と無線通信する第２通信部と、
制御部と、を含み、
前記制御部は、
前記第１通信部を介して前記端末装置から命令を受信し、
前記電気自動車の現在位置を取得し、
前記命令及び前記現在位置に基づいて第１制御命令を生成し、
前記第１制御命令を、前記第２通信部を介して前記ケーブル設置型充電制御装置に送信する、アドオン通信装置。
【請求項２】
前記制御部は、
前記第１通信部を介して前記端末装置から設定情報を受信し、
前記設定情報に基づいて、前記第１制御命令の追加の制御命令に対応する第２制御命令を生成し、
前記第２制御命令を、前記第２通信部を介して前記ケーブル設置型充電制御装置に送信する、請求項１に記載のアドオン通信装置。
【請求項３】
前記設定情報は充電許容量に対する設定情報を含み、
前記命令は前記電気自動車の充電開始を示し、
前記第１制御命令は前記電気自動車の充電開始を示し、
前記第２制御命令は前記電気自動車の充電中断を示し、
前記制御部は、前記電気自動車に供給された電力量が前記充電許容量に到達したとき、前記第２制御命令を生成する、請求項２に記載のアドオン通信装置。
【請求項４】
充電許容量に対する設定情報は、ホーム領域充電許容量に対する設定情報と、公共領域充電許容量に対する設定情報とを含み、
前記制御部は、
現在位置がホーム領域であり、前記電気自動車に供給された電力量が前記ホーム領域充電許容量に到達したときは前記第２制御命令を生成し、
現在位置が公共領域であり、前記電気自動車に供給された電力量が前記公共領域充電許容量に到達したときは前記第２制御命令を生成する、請求項３に記載のアドオン通信装置。
【請求項５】
前記命令は前記電気自動車の充電開始を示す、請求項１乃至請求項４のうちいずれか一項に記載のアドオン通信装置。
【請求項６】
前記電気自動車の現在位置が示す値の集合は、ホーム領域及び公共領域を含み、
前記制御部は、
前記現在位置が前記ホーム領域であるときは低速充電モードで充電開始を示す前記第１制御命令を生成し、
前記現在位置が前記公共領域であるときは高速充電モードで充電開始を示す前記第１制御命令を生成する、請求項５に記載のアドオン通信装置。
【請求項７】
前記制御部は、
前記第２通信部を介して前記ケーブル設置型充電制御装置から前記第１制御命令に対する応答を受信し、
前記応答を、前記第１通信部を介して前記端末装置に送信する、請求項１乃至請求項６のうちいずれか一項に記載のアドオン通信装置。
【請求項８】
前記命令は前記電気自動車の充電関連情報の要求を示し、
前記応答は前記電気自動車の前記充電関連情報を含む、請求項７に記載のアドオン通信装置。
【請求項９】
前記充電関連情報は、前記電気自動車に関する情報と、前記ケーブルアセンブリに対する情報とのうち少なくとも一つを含み、
前記ケーブルアセンブリに対する情報は、前記ケーブルアセンブリの充電動作に関する情報と、前記ケーブルアセンブリの使用履歴に関する情報と、前記ケーブルアセンブリの状態情報と、前記ケーブルアセンブリの故障に関する情報とのうち少なくとも一つを含み、
前記ケーブルアセンブリの状態情報は、前記ケーブルアセンブリのリレーの状態に関する情報と、前記リレーの融着有無に関する情報と、前記ケーブルアセンブリの温度に関する情報と、前記ケーブルアセンブリの漏電に関する情報と、前記ケーブルアセンブリの断線に関する情報と、前記ケーブルアセンブリの周辺環境情報とのうち少なくとも一つを含み、
前記電気自動車に対する情報は、初期充電状態、現在充電状態、充電開始時間、予測充電終了時間、実際充電終了時間、電気自動車充電状況情報、電気自動車充電エラー情報、前記電気自動車に供給された電力量に関する情報と、前記電気自動車に印加される電流の大きさに関する情報とのうち少なくとも一つ以上を含む、請求項８に記載のアドオン通信装置。
【請求項１０】
電気自動車を充電するためのケーブルアセンブリに取り付けられたケーブル設置型充電制御装置に取り付けられるアドオン通信装置の動作方法であって、
端末装置から命令を受信するステップと、
前記電気自動車の現在位置を取得するステップと、
前記命令及び前記現在位置に基づいて第１制御命令を生成するステップと、
前記第１制御命令を前記ケーブル設置型充電制御装置に送信するステップと、を含む、アドオン通信装置の動作方法。
【請求項１１】
前記命令が示す値の集合は、前記電気自動車の充電開始、前記電気自動車の充電中断、前記電気自動車の充電関連情報の要求のうち少なくとも一つを含む、請求項１０に記載のアドオン通信装置の動作方法。
【請求項１２】
前記端末装置から設定情報を受信するステップと、
前記設定情報に基づいて、前記第１制御命令の追加の制御命令に対応する第２制御命令を生成するステップと、
前記第２制御命令を前記ケーブル設置型充電制御装置に送信するステップと、を更に含む、請求項１１に記載のアドオン通信装置の動作方法。
【請求項１３】
前記設定情報に基づいて、前記第１制御命令の追加の制御命令に対応する第２制御命令を生成するステップは、
前記第１制御命令が完了したか否かをチェックするステップと、
前記第１制御命令が完了していないとき、前記電気自動車の充電状態を監視するステップと、
前記電気自動車の充電状態及び前記設定情報のうち少なくとも一つに基づいて、前記ケーブル設置型充電制御装置に対する前記追加の制御命令が必要であるか否かをチェックするステップと、
前記設定情報及び前記電気自動車の充電状態に基づいて、前記追加の制御命令に対応する前記第２制御命令を生成するステップと、
を含む、請求項１２に記載のアドオン通信装置の動作方法。
【請求項１４】
前記電気自動車の充電状態は前記電気自動車に供給された電力量を含み、
前記設定情報は充電許容量に対する情報を含み、
前記追加の制御命令が必要であるか否かをチェックするステップは、前記電気自動車に供給された電力量と前記充電許容量とを比較して、前記追加の制御命令が必要であるか否かをチェックするステップを含み、
前記電気自動車に供給された電力量と前記充電許容量とを比較して、前記追加の制御命令が必要であるか否かをチェックするステップは、前記電気自動車に供給された電力量が前記充電許容量に到達したとき、前記追加の制御命令が必要であると判断するステップと、
前記電気自動車に供給された電力量が前記充電許容量に到達していないとき、前記追加の制御命令が必要ではないと判断するステップを含む、請求項１３に記載のアドオン通信装置の動作方法。
【発明の詳細な説明】
【技術分野】
【０００１】
本発明は、電気自動車の充電に関するものである。
【背景技術】
【０００２】
電気自動車とは電気を使用して運行される自動車を意味するものであって、大きく純粋電気自動車（Ｂａｔｔｅｒｙ  ｐｏｗｅｒｅｄ  Ｅｌｅｃｔｒｉｃ  Ｖｅｈｉｃｌｅ）とハイブリッド電気自動車（Ｈｙｂｒｉｄ  Ｅｌｅｃｔｒｉｃ  Ｖｅｈｉｃｌｅ）とに区分される。ここで、純粋電気自動車とは化石燃料を利用することなく電気だけを使用して走行する自動車であって、一般に電気自動車と呼ばれる。そして、ハイブリッド電気自動車とは電気及び化石燃料を使用して走行するものを意味する。そして、このような電気自動車には走行のための電気を供給するバッテリが具備される。特に、純粋電気自動車及びプラグインタイプのハイブリッド電気自動車は、外部の電源から供給される電力を利用してバッテリを充電し、バッテリに充電された電力を利用して電気モータを駆動する。
【０００３】
家庭などに具備されたソケットが供給する６０Ｈｚの商用グリッド電力を利用して電気自動車を充電する際、電気自動車充電ケーブルアセンブリが使用される。
【０００４】
この電気自動車充電ケーブルアセンブリは、電気自動車に接続されるコネクタと、ソケットに接続されるプラグと、このコネクタとプラグとを接続する電力線とを含む。
【０００５】
この電気自動車充電ケーブルアセンブリは多様な環境で利用されるため、電気自動車の安定的な充電を提供するケーブル設置型充電制御装置が電気自動車充電ケーブルアセンブリに具備される。ケーブル設置型充電制御装置は、ユーザによる電力線との分離が容易ではないように電力線に取り付けられる。ケーブル設置型充電制御装置が電気自動車の安定的な充電を提供するためには、ケーブル設置型充電制御装置自体が外部温度、外部湿度、振動、衝撃などに強いという要求条件を満足する必要がある。ケーブル設置型充電制御装置が有線通信のためのコネクタを具備する場合、このコネクタは金属端子を含むため、ケーブル設置型充電制御装置はもはや、上述した要求事項を満足することができなくなる。
【０００６】
しかし、ユーザは充電状態を確認しようとする要望が有るため、電気自動車充電ケーブルアセンブリに取り付けられたケーブル設置型充電制御装置は、ユーザに充電状態を知らせる必要がある。
【０００７】
そのために、ケーブル設置型充電制御装置は充電に関する情報又は故障情報を所定色相のＬＥＤを介して表示する。
【０００８】
すなわち、ユーザはこのようなケーブル設置型充電制御装置を直接目で見なければ充電関連情報を取得することができない。一般に、ユーザは雨天又は寒い若しくは暑い天候でも充電状態を確認する可能性がある。しかし、このような天候で外に出て直接ケーブル設置型充電制御装置を目で確認することは、ユーザに大きな不便をもたらす。
【発明の概要】
【発明が解決しようとする課題】
【０００９】
本発明が解決しようとする課題は、ユーザに便利に電気自動車充電関連情報を提供するシステム、装置及びその方法を提供することである。
【課題を解決するための手段】
【００１０】
実施例において、電気自動車を充電するためのケーブルアセンブリに取り付けられたケーブル設置型充電制御装置に取り付けられるアドオン通信装置は、端末装置と無線通信する第１通信部と、ケーブル設置型充電制御装置と無線通信する第２通信部と、制御部と、を含む。制御部は第１通信部を介して端末装置から命令を受信し、命令に基づいて第１制御命令を生成し、第１制御命令を、第２通信部を介してケーブル設置型充電制御装置に送信する。
【００１１】
制御部は第１通信部を介して端末装置から設定情報を受信し、設定情報に基づいて第１制御命令の追加の制御命令に対応する第２制御命令を生成し、第２制御命令を、第２通信部を介してケーブル設置型充電制御装置に送信する。
【００１２】
設定情報は充電許容量に対する設定情報を含む。命令は電気自動車の充電開始を示す。
第１制御命令は電気自動車の充電開始を示す。第２制御命令は電気自動車の充電中断を示す。制御部は電気自動車に供給された電力量が充電許容量に到達する場合、第２制御命令を生成する。
【００１３】
充電許容量に対する設定情報は、ホーム領域充電許容量に対する設定情報と公共領域充電許容量に対する設定情報とを含む。制御部は現在位置がホーム領域で電気自動車に供給された電力量がホーム領域充電許容量に到達したとき第２制御命令を生成し、現在位置が公共領域で電気自動車に供給された電力量が公共領域充電許容量に到達したとき第２制御命令を生成する。
【００１４】
命令は電気自動車の充電開始を示す。
【００１５】
制御部は電気自動車の現在位置を取得し、命令及び現在位置に基づいて第１制御命令を生成する。
【００１６】
電気自動車の現在位置が示す値の集合は、ホーム領域及び公共領域を含む。制御部は、現在位置がホーム領域であるときには低速充電モードで充電開始を示す第１制御命令を生成し、現在位置が公共領域であるときには高速充電モードで充電開始を示す第１制御命令を生成する。
【００１７】
制御部は第２通信部を介してケーブル設置型充電制御装置から第１制御命令に対する応答を受信し、応答を、第１通信部を介して端末装置に送信する。
【００１８】
命令は電気自動車の充電関連情報の要求を示し、応答は電気自動車の充電関連情報を含む。
【００１９】
充電関連情報は、電気自動車に対する情報と、ケーブルアセンブリに対する情報とのうち少なくとも一つを含む。ケーブルアセンブリに対する情報は、ケーブルアセンブリの充電動作に関する情報と、ケーブルアセンブリの使用履歴に関する情報と、ケーブルアセンブリの状態情報と、ケーブルアセンブリの故障に関する情報とのうち少なくとも一つを含む。ケーブルアセンブリの状態情報は、ケーブルアセンブリのリレーの状態に関する情報と、リレーの融着有無に関する情報と、ケーブルアセンブリの温度に関する情報と、ケーブルアセンブリの漏電に関する情報と、ケーブルアセンブリの断線に関する情報と、ケーブルアセンブリの周辺環境情報とのうち少なくとも一つを含む。電気自動車に対する情報は、初期充電状態、現在充電状態、充電開始時間、予測充電終了時間、実際充電終了時間、電気自動車充電状況情報、電気自動車充電エラー情報、電気自動車に供給された電力量に関する情報と、電気自動車に印加される電流の大きさに関する情報とのうち少なくとも一つ以上を含む。
【００２０】
実施例において、電気自動車を充電するためのケーブルアセンブリに取り付けられたケーブル設置型充電制御装置に取り付けられるアドオン通信装置の動作方法は、端末装置から命令を受信するステップと、命令に基づいて第１制御命令を生成するステップと、第１制御命令をケーブル設置型充電制御装置に送信するステップと、を含む。
【００２１】
命令が示す値の集合は、電気自動車の充電開始、電気自動車の充電中断、電気自動車の充電関連情報の要求のうち少なくとも一つを含む。
【００２２】
動作方法は、端末装置から設定情報を受信するステップと、設定情報に基づいて第１制御命令の追加の制御命令に対応する第２制御命令を生成するステップと、第２制御命令をケーブル設置型充電制御装置に送信するステップと、を更に含む。
【００２３】
設定情報に基づいて第１制御命令の追加の制御命令に対応する第２制御命令を生成するステップは、第１制御命令が完了したのかをチェックするステップと、第１制御命令が完了していない場合、電気自動車の充電状態を監視するステップと、電気自動車の充電状態及び設定情報のうち少なくとも一つに基づいてケーブル設置型充電制御装置に対する追加の制御命令が必要であるか否かをチェックするステップと、設定情報及び電気自動車の充電状態に基づいて追加の制御命令に対応する第２制御命令を生成するステップとを含む。
【００２４】
電気自動車の充電状態は電気自動車に供給された電力量を含む。設定情報は充電許容量に対する情報を含む。追加の制御命令が必要であるか否かをチェックするステップは、電気自動車に供給された電力量と充電許容量とを比較して、追加の制御命令が必要であるか否かをチェックするステップを含む。電気自動車に供給された電力量と充電許容量とを比較して、追加の制御命令が必要であるか否かをチェックするステップは、電気自動車に供給された電力量が充電許容量に到達したとき、追加の制御命令が必要であると判断するステップと、電気自動車に供給された電力量が充電許容量に到達していないとき、追加の制御命令が必要ではないと判断するステップを含む。
【発明の効果】
【００２５】
本発明の実施例は、外部温度、外部湿度、振動、衝撃などに強い特性を有するように製作されたケーブル設置型充電制御装置の特性を維持し、ケーブル設置型充電制御装置の修理を容易にし、ケーブル設置型充電制御装置の交換の際にコスト負担の増加をもたらさずにユーザに便利に電気自動車充電関連情報を提供する。
【００２６】
本発明の実施例は、使用されないアドオン通信装置に提供される電力が遮断されないとき、電力消耗量を最小化することができる。
【図面の簡単な説明】
【００２７】
【図１】本発明の一実施例による電気自動車充電システムの概念図である。
【図２】本発明の一実施例による電気自動車のブロック図である。
【図３】本発明の一実施例による電気自動車充電ケーブルアセンブリのブロック図である。
【図４】本発明の一実施例による端末装置のブロック図である。
【図５】本発明の一実施例による電気自動車充電システム１０の動作方法を示すラダー図である。
【図６】本発明の他の実施例による電気自動車充電システムの概念図である。
【図７】本発明の他の実施例による電気自動車充電ケーブルアセンブリのブロック図である。
【図８】本発明の実施例によるアドオン通信装置のブロック図である。
【図９】本発明の他の実施例による電気自動車充電システム１０の動作方法を示すラダー図である。
【発明を実施するための形態】
【００２８】
以下、本発明に関する実施例について図面を参照してより詳しく説明する。以下の説明で使用される構成要素に対する接尾語である「モジュール」及び「部」は明細書を容易に作成するためにだけ付与されるか、又は混用されるものであり、それ自体で互いに区別される意味又は役割を有するものではない。
【００２９】
本明細書で説明される端末機には携帯電話、スマートホン、ラップトップコンピュータ、デジタル放送用端末機、パーソナルデジタルアシスタント（ＰＤＡ）、可搬型マルチメディアプレイヤ（ＰＭＰ），ナビゲーション装置などが含まれる。しかし、本発明に記載された実施例による構成は、移動端末機にだけ適用可能な場合を除いて、デジタルテレビ、デスクトップコンピュータなどのような固定端末機にも適用可能であることを本技術分野の当業者であれば、容易に理解できるはずである。
【００３０】
以下、本発明による電気自動車充電システムの第１実施例を添付した図面を参照してより詳細に説明する。
【００３１】
図１は、本発明の一実施例による電気自動車充電システムの概念図である。
【００３２】
図１を参照すると、本発明の一実施例による電気自動車充電システム１０は、電気自動車１００、電気自動車充電ケーブルアセンブリ２０、ソケット３０及び端末装置３００を含む。
【００３３】
ソケット３０は交流（ＡＣ）電源を供給する。
【００３４】
電気自動車１００は、電気自動車充電ケーブルアセンブリ２０を介してソケット３０と接続され、ソケット３０から交流電力が供給される。
【００３５】
電気自動車充電ケーブルアセンブリ２０は、ソケット３０からの交流電力を電気自動車１００に伝達する。
【００３６】
電気自動車充電ケーブルアセンブリ２０は、ケーブル設置型充電制御装置２００、電気自動車コネクタ２１、電力線（ｐｏｗｅｒ  ｃａｂｌｅ）２３及びプラグ２５を含む。
【００３７】
電力線２３は電力を伝達する。電力線２３は電気自動車側の電力線（ＥＶ−ｓｉｄｅ  ｐｏｗｅｒ  ｃａｂｌｅ）及びグリッド側の電力線（ｇｒｉｄ−ｓｉｄｅ  ｐｏｗｅｒ  ｃａｂｌｅ）を含む。
【００３８】
電気自動車コネクタ２１は、電気自動車インレット１２０に挿入されて電気自動車インレット１２０と結合し、ＳＡＥ  Ｊ１７７２規格に従う。
【００３９】
プラグ２５はソケット３０に挿入されてソケット３０と結合する。
【００４０】
ケーブル設置型充電制御装置２００は電気自動車１００の充電を監視し、監視を介して取得した充電関連情報を端末装置３００に提供し、電気自動車１００の充電を制御する。
【００４１】
実施例において、ケーブル設置型充電制御装置２００は、ユーザによる電力線２３と分離が容易ではないように電力線２３にしっかりと（ｆｉｘｅｄｌｙ）取り付けられ、外部温度、外部湿度、振動、衝撃などに強い特性を有する。
【００４２】
特に、ケーブル設置型充電制御装置２００は、ユーザによる電気自動車側の電力線との分離が容易ではないように電力線５３と一体にしっかりと取り付けられる。
【００４３】
また、ケーブル設置型充電制御装置２００は、ユーザによるグリッド側の電力線との分離が容易ではないように電力線６３と一体にしっかりと取り付けられる。
【００４４】
一方、実施例において、ケーブル設置型充電制御装置２００は、ユーザによる電力線２３との結合及び分離が可能であるようにコネクタを含む。この際、コネクタは外部温度、外部湿度、振動、衝撃などに強い特性を有する必要がある。
【００４５】
特に、ケーブル設置型充電制御装置２００は、ユーザによって電気自動車側の電力線と結合及び分離可能であるようにコネクタを含む。この際、コネクタは外部温度、外部湿度、振動、衝撃などに強い特性を有する必要がある。
【００４６】
特に、ケーブル設置型充電制御装置２００は、ユーザによって電気自動車側の電力線との結合及び分離可能であるようにコネクタを含む。この際、コネクタは外部温度、外部湿度、振動、衝撃などに強い特性を有する必要がある。
【００４７】
ケーブル設置型充電制御装置２００が有線通信のためのコネクタを具備する場合、このコネクタは金属端子を含むため外部環境にぜい弱である恐れがある。このような問題点を解決するために、ケーブル設置型充電制御装置２００は、無線で充電関連情報を端末装置３００に送信する。
【００４８】
端末装置３００は、電気自動車充電ケーブルアセンブリ２０と非接触方式で無線通信を行って電気自動車充電ケーブルアセンブリ２０に関する情報を表示する。
【００４９】
図２は、本発明の一実施例による電気自動車のブロック図である。
【００５０】
電気自動車１００は、バッテリ１１０、バッテリ充電装置１１５、電気自動車インレット１２０、通信部１３０及び制御部１４０を含む。
【００５１】
バッテリ１１０は、電気自動車１００の運行のための電力を電気自動車１００に供給する。
【００５２】
電気自動車インレット１２０は、外部からバッテリ１１０を充電するための電力を受けるためのコネクタである。電気自動車インレット１２０はＳＡＥ  Ｊ１７７２規格に従う。
【００５３】
バッテリ充電装置１１５は、電気自動車インレット１２０を介して供給された電力を利用してバッテリ１１０を充電する。
【００５４】
通信部１３０は、電気自動車充電ケーブルアセンブリ２０又は端末装置３００と通信する。
【００５５】
制御部１４０は、電気充電装置１００の全般的な動作を制御する。
【００５６】
図３は、本発明の一実施例による電気自動車充電ケーブルアセンブリのブロック図である。
【００５７】
上述したように、電気自動車充電ケーブルアセンブリ２０は、ケーブル設置型充電制御装置２００、電気自動車コネクタ２１、電力線２３及びプラグ２５を含む。
【００５８】
この際、ケーブル設置型充電制御装置２００は、リレー２２０、感知部２３０、電気自動車通信部２４０、端末装置通信部２５０、記憶部２６０及び制御部２７０を含む。
【００５９】
リレー２２０は電力線２３を介した電力移送を制御する。詳しくは、リレー２２０がターンオフされると、リレー２２０は電力線２３を介した電力移送を遮断する。リレー２２０がターンオンされると、リレー２２０は電力線２３を介した電力移送を提供する。
【００６０】
感知部２３０は後述する電気自動車充電関連情報を感知する。特に、感知部２３０は電気自動車１００に対する情報と、電気自動車充電ケーブルアセンブリ２０に対する情報とをすべて感知する。感知部２３０は、電気自動車１００に対する情報を感知せずに、電気自動車充電ケーブルアセンブリ２０に対する情報を感知してもよい。詳しくは、感知部２３０は、リレー融着感知部、電流感知部、内部温度感知部、内部湿度感知部、外部温度感知部、外部湿度感知部、漏電感知部及び断線感知部などを含む。リレー融着感知部は、リレー２２０の融着有無を感知する。電流感知部は、電力線２３を介して流れる電流の大きさを感知する。内部温度感知部は、電気自動車充電ケーブルアセンブリ２０の内部温度を感知する。内部湿度感知部は、電気自動車充電ケーブルアセンブリ２０の内部湿度を感知する。外部温度感知部は、ケーブル設置型充電制御装置２００の周辺の温度を感知する。外部湿度感知部は、ケーブル設置型充電制御装置２００の周辺の湿度を感知する。漏電感知部は、電気自動車充電ケーブルアセンブリ２０の漏電有無を感知する。断線感知部は、電気自動車充電ケーブルアセンブリ２０の断線有無を感知する。
【００６１】
電気自動車通信部２４０は、電気自動車１００と通信を行う。詳しくは、電気自動車通信部２４０は、電気自動車１００の通信部と通信を行う。電気自動車通信部２４０及び通信部１３０は、電力線通信方式を利用して電力線２３を介して通信する。また、電気自動車通信部２４０及び通信部１３０は、赤外線通信（ＩｒＤＡ）方式、無線周波通信方式、Ｂｌｕｅｔｏｏｔｈ（登録商標）、超広帯域通信（ＵＷＢ）及びＺｉｇＢｅｅ（登録商標）、デジタルリビングネットワークアライアンス（ＤＬＮＡ）などを利用して通信してもよい。
【００６２】
端末装置通信部２５０は、端末装置３００と通信を行う。詳しくは、端末装置通信部２５０は、端末装置３００の通信部３１０と通信を行う。特に、端末装置通信部２５０及び通信部３１０は、赤外線通信方式、無線周波通信方式、Ｂｌｕｅｔｏｏｔｈ（登録商標）、超広帯域通信及びＺｉｇＢｅｅ（登録商標）、ＤＬＮＡなどを利用して通信してもよい。
【００６３】
記憶部２６０は後述する様々な情報を記憶する。詳しくは、記憶部２６０は、電気自動車充電関連情報を記憶する。記憶部２６０は、ケーブル設置型充電制御装置２１０の使用履歴に関する情報を記憶する。例えば、記憶部２６０は、ケーブル設置型充電制御装置２１０の最終使用時刻並びに時間及び累積使用時間などに関する情報を記憶する。
【００６４】
制御部２７０は、後述する動作を含んでケーブル設置型充電制御装置２００の全般的な動作を制御する。
【００６５】
図４は、本発明の一実施例による端末装置のブロック図である。
【００６６】
端末装置３００は、通信部３１０、入力装置３２０、制御部３３０及び表示部３４０を含む。
【００６７】
通信部３１０は、端末装置通信部２５０と通信する。
【００６８】
入力装置３２０はユーザの入力を取得する。入力装置３２０は、タッチスクリーン、物理ボタン、音声形式のユーザ入力を取得するためのマイク、端末装置３００の動作ジェスチャをユーザ入力として取得するための加速度センサ、キーボード、マウス、キーバッドのうち一つ以上を含む。
【００６９】
制御部３３０は、後述する動作を含む端末装置３００の全般的な動作を制御する。
【００７０】
表示部３４０は、ケーブル設置型充電制御装置２００の充電動作及び状態に関する情報を表示する。また、表示部３４０は、ケーブル設置型充電制御装置２００の故障及びそれに対応するユーザの措置事項に関する情報を表示する。例えば、表示部２４０は、ケーブル設置型充電制御装置２００の充電動作及び状態に関する情報を、文字若しくは図形又は光のうち少なくとも一つを含む視覚的表示方法及び／又は音響を含む聴覚的表示方法で表示する。
【００７１】
図５は、本発明の一実施例による電気自動車充電システム１０の動作方法を示すラダー図である。
【００７２】
端末装置３００の制御部３３０は、入力装置３２０を介して電気自動車充電ケーブルアセンブリ２０に命令するためのユーザ入力を取得する（Ｓ１０１）。この際、電気自動車充電ケーブルアセンブリ２０を制御するためのユーザ入力は、電気自動車１００の充電開始、電気自動車１００の充電中断、電気自動車充電関連情報の要求のうち一つ以上を含む。
【００７３】
端末装置３００の制御部３３０は、取得したユーザ入力に対応する命令を、通信部３１０を介してケーブル設置型充電制御装置２００に送信する（Ｓ１０３）。ケーブル設置型充電制御装置２００の制御部２７０は、端末装置通信部２５０を介して命令を受信する。
【００７４】
ケーブル設置型充電制御装置２００の制御部２７０は、受信した命令を実行する（Ｓ１０５）。詳しくは、ユーザ入力に対応する命令が電気自動車１００の充電開始であるとき、ケーブル設置型充電制御装置２００の制御部２７０はターンオフされたリレー２２０をターンオンして電気自動車充電ケーブルアセンブリ２０がソケット３０の交流電力を電気自動車１００に提供する。
【００７５】
ユーザ入力に対応する命令が電気自動車１００の充電中断であるとき、ケーブル設置型充電制御装置２００の制御部２７０はターンオンされたリレー２２０をターンオフして電気自動車充電ケーブルアセンブリ２０がそれ以上電気自動車１００を充電しないようにする。
【００７６】
ユーザ入力に対応する命令が電気自動車充電関連情報の要求であるとき、ケーブル設置型充電制御装置２００の制御部２７０は電気自動車充電関連情報を収集する。
【００７７】
ケーブル設置型充電制御装置２００の制御部２７０は、受信した命令に対応する応答を、端末装置通信部２５０を介して端末装置３００に送信する（Ｓ１０７）。
【００７８】
ユーザ入力に対応する命令が電気自動車１００の充電開始であるとき、応答はリレー２２０の状態がターンオン状態であることを知らせる情報を含む。
【００７９】
ユーザ入力に対応する命令が電気自動車１００の充電中断であるとき、応答はリレー２２０の状態がターンオフ状態であることを知らせる情報を含む。
【００８０】
ユーザ入力に対応する命令が電気自動車１００の充電関連情報の要求であるとき、応答は収集した電気自動車充電関連情報を含む。
【００８１】
電気自動車充電関連情報は、電気自動車１００に対する情報と、電気自動車充電ケーブルアセンブリ２０に対する情報とのうち少なくとも一つを含む。
【００８２】
電気自動車１００に対する情報は、初期充電状態、現在充電状態、充電開始時間、予測充電終了時間、実際充電終了時間、電気自動車充電状態に関する情報と、電気自動車充電エラー情報、電気自動車１００に供給された電力量に関する情報と、電気自動車１００に印加される電流の大きさに関する情報とのうち少なくとも一つ以上を含む。初期充電状態及び現在充電状態は、バッテリ１１０の総容量対比現在充電量の割合で示される。電気自動車充電状態情報は、電気自動車１００充電中、充電待機中又は充電完了状態を示す。
【００８３】
電気自動車充電ケーブルアセンブリ２０に対する情報は、電気自動車充電ケーブルアセンブリ２０の充電動作に関する情報と、電気自動車充電ケーブルアセンブリ２０の使用履歴に関する情報と、電気自動車充電ケーブルアセンブリ２０の状態情報と、電気自動車充電ケーブルアセンブリ２０の故障に関する情報とのうち少なくとも一つを含む。電気自動車充電ケーブルアセンブリ２０の充電動作に関する情報は、電気自動車充電ケーブルアセンブリ２０がソケット３０の電力を電気自動車１００に供給しているか否かを示す。電気自動車充電ケーブルアセンブリ２０の状態情報は、リレー２００の状態に関する情報と、リレー２００の融着有無に関する情報と、電気自動車充電ケーブルアセンブリ２０の温度に関する情報と、電気自動車充電ケーブルアセンブリ２０の漏電に関する情報と、電気自動車充電ケーブルアセンブリ２０の断線に関する情報と、電気自動車充電ケーブルアセンブリ２０の周辺環境情報とのうち少なくとも一つを含む。リレー２２０の状態に関する情報は、リレー２２０がターンオンされたか又はターンオフされたかを示す。電気自動車充電ケーブルアセンブリ２０の周辺環境情報は、周辺温度に対する情報及び周辺湿度に対する情報のうち少なくとも一つを含む。
【００８４】
端末装置３００の制御部３３０は受信した応答を表示部３４０に表示する（Ｓ１０９）。
【００８５】
ユーザ入力に対応する命令が電気自動車１００の充電開始であるとき、端末装置３００の制御部３３０はリレー２２０の状態がターンオン状態であることを知らせる情報を表示部３４０に表示する。
【００８６】
ユーザ入力に対応する命令が電気自動車１００の充電中断であるとき、端末装置３００の制御部３３０はリレー２２０の状態がターンオフ状態であることを知らせる情報を表示部３４０に表示する。
【００８７】
ユーザ入力に対応する命令が電気自動車１００の充電関連情報の要求であるとき、端末装置３００の制御部３３０は電気自動車充電関連情報を表示部３４０に表示する。ユーザは、表示された電気自動車充電関連情報を参照して電気自動車充電ケーブルアセンブリ２０を制御するための追加のユーザ入力を、入力装置３２０を介して端末装置３００に入力する。
【００８８】
このように、電気自動車充電ケーブルアセンブリ２０の充電動作及び状態に関する情報が端末装置３００を介して表示される。よって、ユーザが電気自動車充電ケーブルアセンブリ２０の充電動作及び状態に関する情報をより簡単で容易に認識することができる。また、ユーザは電気自動車充電ケーブルアセンブリ２０の状態に関する情報を介して、電気自動車充電ケーブルアセンブリ２０の故障有無及び故障部位をより容易に判断し、それに対応する措置を迅速に取ることができる。例えば、電気自動車充電ケーブルアセンブリ２０の商用電源の接地線が短絡した場合、従来はそれを別途感知することができなかった。しかし、本実施例では、感知部２３０が断線有無を感知しそれを表示することによって、ユーザは電気自動車充電ケーブルアセンブリ２０の充電動作を中断して断線した部分を修理するか、修理を要求することができる。特に、ケーブル設置型充電制御装置２００から端末装置３００に、電気自動車充電ケーブルアセンブリ２０の故障及びそれに対応する措置事項に関する情報が送信される場合、ユーザはより簡単かつ容易に故障有無に把握してそれに対する措置を取ることができる。よって、ユーザは電気自動車充電ケーブルアセンブリ２０の故障によって電気自動車１００の充電が実行されていないことを予め認知する。また、例えば、電気自動車充電ケーブルアセンブリ２０の使用履歴が端末装置３００に送信される場合、ユーザは電気自動車充電ケーブルアセンブリ２０の寿命を予め予測して、別の電気自動車充電ケーブルアセンブリを準備することができる。
【００８９】
一方、電気自動車充電ケーブルアセンブリ２０は劣悪な環境で使用される場合が多いため、頻繁な修理及び交換が必要である。しかし、電気自動車充電ケーブルアセンブリ２０が、比較的高価な端末装置通信部２５０を含むケーブル設置型充電制御装置２０を有する場合、外部温度、外部湿度、振動、衝撃などに強い特性を有するように製作されたケーブル設置型充電制御装置２００の特性上、修理を更に難しくする可能性があり、交換の際のコスト増加という負担をもたらす。
【００９０】
このような問題を改善するために、ケーブル設置型充電制御装置２００の端末装置通信部を別途の装置として分離することを考慮することができる。このような実施例を図６乃至図９を参照して説明する。
【００９１】
図６は、本発明の他の実施例による電気自動車充電システムの概念図である。
【００９２】
図６を参照すると、本発明の一実施例による電気自動車充電システム１０は、電気自動車１００、電気自動車充電ケーブルアセンブリ２０、ソケット３０、端末装置３００及びアドオン通信装置４００を含む。
【００９３】
ソケット３０、電気自動車１００は図１の実施例と同じであるか類似しているため、その詳細な説明は省略する。
【００９４】
電気自動車充電ケーブルアセンブリ２０は、ソケット３０からの交流電力を電気自動車１００に伝達する。
【００９５】
電気自動車充電ケーブルアセンブリ２０は、ケーブル設置型充電制御装置２００、電気自動車コネクタ２１、電力線２３及びプラグ２５を含む。
【００９６】
電力線２３、電気自動車コネクタ２１、プラグ２５は、図１の実施例と同じであるか類似しているため、その詳細な説明は省略する。
【００９７】
ケーブル設置型充電制御装置２００は、電気自動車１００の充電を監視し、監視を介して取得した充電関連情報をアドオン通信装置４００に提供し、電気自動車１００の充電を制御する。ケーブル設置型充電制御装置２００は、ユーザによる電力線２３との分離が容易ではないように電力線２３と一体に取り付けられ、外部温度、外部湿度、振動、衝撃などに強い特性を有する。ケーブル設置型充電制御装置２００が有線通信のためのコネクタを具備する場合、このコネクタは金属端子を含むため、外部環境に脆弱である恐れがある。このような問題点を解決するために、ケーブル設置型充電制御装置２００は無線でアドオン通信装置４００と通信する。
【００９８】
端末装置３００は、アドオン通信装置４００と非接触方式で無線通信を行って電気自動車充電ケーブルアセンブリ２０に関する情報を表示する。
【００９９】
アドオン通信装置４００はケーブル設置型充電制御装置２００に取り付けられる。この際、アドオン通信装置４００は、ケーブル設置型充電制御装置２００と機械的に結合してもよい。また、アドオン通信装置４００は、ケーブル設置型充電制御装置２００に磁力によって取り付けられてもよい。
【０１００】
図７は、本発明の他の実施例による電気自動車充電ケーブルアセンブリのブロック図である。
【０１０１】
上述したように、電気自動車充電ケーブルアセンブリ２０は、ケーブル設置型充電制御装置２００、電気自動車コネクタ２１、電力線２３及びプラグ２５を含む。
【０１０２】
この際、ケーブル設置型充電制御装置２００は、アドオン装置通信部２１０、リレー２２０、感知部２３０、電気自動車通信部２４０、記憶部２６０及び制御部２７０を含む。図３の実施例に比べ、図７に示したケーブル設置型充電制御装置２００はアドオン装置通信部２１０を更に含む。また、図７に示したケーブル設置型充電制御装置２００は価格及び修理コストを下げるために端末装置通信部２５０を有しなくてもよいが、多様な応用においては端末装置通信部２５０を含んでもよい。
【０１０３】
リレー２２０、感知部２３０、電気自動車通信部２４０、記憶部２６０、制御部２７０の動作は図３の実施例と同じであるか、類似しているか又は後述される。
【０１０４】
アドオン装置通信部２１０はアドオン通信装置４００と通信を行う。アドオン装置通信部２１０とアドオン通信装置４９９とは、赤外線通信方式、無線周波通信方式、Ｂｌｕｅｔｏｏｔｈ（登録商標）、超広帯域通信及びＺｉｇｂｅｅ（登録商標）、ＤＬＮＡなどを利用して通信してもよい。
【０１０５】
特に、電気自動車充電ケーブルアセンブリ２０及びアドオン通信装置４００の価格を下げるために、アドオン装置通信部２１０は赤外線通信方式を使用する。この際、アドオン装置通信部２１０は赤外線発光ダイオード及び赤外線受光ダイオードを含む。
【０１０６】
図８は、本発明の実施例によるアドオン通信装置のブロック図である。
【０１０７】
アドオン通信装置４００は、付加チェック要求信号生成部４１０、付加チェック部４２０、充電制御装置通信部４４０、端末装置通信部４５０、記憶部４６０及び制御部４７０を含む。
【０１０８】
充電制御装置通信部４４０は、ケーブル設置型充電制御装置２００と通信を行う。詳しくは、充電制御装置通信部４４０は、ケーブル設置型充電制御装置２００のアドオン装置通信部２１０と通信する。充電制御装置通信部４４０とアドオン装置通信部２１０とは、赤外線通信方式、無線周波通信方式、Ｂｌｕｅｔｏｏｔｈ（登録商標）、超広帯域通信及びＺｉｇｂｅｅ（登録商標）、ＤＬＮＡなどを利用して通信してもよい。
【０１０９】
電気自動車充電ケーブルアセンブリ２０及びアドオン通信装置４００の価格を下げるために、充電制御装置通信部４４０は赤外線通信方式を使用する。この際、充電制御装置通信部４４０は、赤外線発光ダイオード４４１及び赤外線受光ダイオード４４２を含む。
【０１１０】
アドオン通信装置４００がケーブル設置型充電制御装置２００に正常に取り付けられたとき、充電制御装置通信部４４０の赤外線発光ダイオード４４１及び赤外線受光ダイオード４４２の位置は、ケーブル設置型充電制御装置２００のアドオン装置通信部２１０の赤外線受光ダイオード及び赤外線発光ダイオードにそれぞれ対応付けられる。
【０１１１】
端末装置通信部４５０は端末装置３００と通信を行う。詳しくは、端末装置通信部４５０は、端末装置３００の通信部３１０と通信を行う。特に、端末装置通信部４５０と通信部３１０は赤外線通信方式、無線周波通信方式、Ｂｌｕｅｔｏｏｔｈ（登録商標）、超広帯域通信及びＺｉｇｂｅｅ（登録商標）、ＤＬＮＡなどを利用して通信してもよい。特に、端末装置通信部４５０は、ＩＥＥＥ  ８０２．１１で規定するＷｉ−Ｆｉのような無線構内ネットワーク及びＩＥＥＥ  ８０２．１６又はＬＴＥ規格が規定する無線広域ネットワークのうち少なくとも一つを利用して端末装置３００と通信を行う。
【０１１２】
記憶部４６０は後述する様々な情報を記憶する。詳しくは、記憶部４６０は、電気自動車充電関連情報を記憶する。記憶部４６０は、ケーブル設置型充電制御装置２１０の使用履歴に関する情報を記憶する。例えば、記憶部４６０は、ケーブル設置型充電制御装置２００の最終使用時刻並びに時間及び累積使用時間などに関する情報を記憶する。
【０１１３】
制御部４７０は、後述する動作を含んでアドオン通信装置４００の全般的な動作を制御する。
【０１１４】
アドオン通信装置４００は、ケーブル設置型充電制御装置２００と電気的に直接接触しないため、別途電力を供給する必要がある。しかし、ユーザがアドオン通信装置４００を使用しないとき、ユーザがアドオン通信装置４００に供給される電力を遮断しない可能性がある。これは不必要な電力消耗量を増加させるため、アドオン通信装置４００を使用しないときに電力消耗量を最小化する方法が必要になる。
【０１１５】
図９は、本発明の他の実施例による電気自動車充電システム１０の動作方法を示すラダー図である。
【０１１６】
端末装置３００の制御部３３０は、入力装置３２０を介してアドドン通信装置４００を設定するためのユーザ入力を取得する（Ｓ３０１）。アドオン通信装置４００を設定するためのユーザ入力は、充電許容量、充電モードのうち少なくとも一つを含む。充電許容量は公共領域（ｐｕｂｌｉｃ  ａｒｅａ）での充電許容量、ホーム領域（ｈｏｍｅ  ａｒｅａ）での充電許容量のうち少なくとも一つを含む。充電モードは、公共領域での充電モードと、ホーム領域での充電モードとのうち少なくとも一つを含む。充電許容量は、Ｗｈのような単位で示される絶対値であるか、％のような単位で示される相対値である。充電モードが示す値の集合は高速充電モード及び低速充電モードを含む。
【０１１７】
端末装置３００の制御部３３０は、取得したユーザ入力に対応する設定情報を通信部３１０を介してアドオン通信装置４００に送信する（Ｓ３０３）。この際、設定情報は充電許容量に対する設定情報と充電モードに対する設定情報とのうち少なくとも一つを含む。充電許容量に対する設定情報は、公共領域での充電許容量に対する設定情報と、ホーム領域での充電許容量に対する設定情報とのうち少なくとも一つを含む。充電モードに対する設定情報は、公共領域での充電モードに対する設定情報と、ホーム領域での充電モードに対する設定情報とのうち少なくとも一つを含む。それを介してアドオン通信装置４００の制御部４７０は、端末装置通信部４５０を介して端末装置３００から設定情報を受信する。
【０１１８】
アドオン通信装置４００は、受信した設定情報を記憶部４６０に記憶し、受信した設定情報に基づいてアドオン通信装置４００を設定する（Ｓ３０５）。
【０１１９】
一方、端末装置３００の制御部３３０は、入力装置３２０を介して電気自動車充電ケーブルアセンブリ２０に命令するためのユーザ入力を取得する（Ｓ３１５）。この際、電気自動車充電ケーブルアセンブリ２０を制御するためのユーザ入力は、電気自動車１００の充電開始、電気自動車１００の充電中断、電気自動車充電関連情報の要求のうち一つ以上を含む。ユーザ入力は、高速充電開始及び低速充電開始のうち少なくとも一つを含む。
【０１２０】
端末装置３００の制御部３３０は、取得したユーザ入力に対応する命令を、通信部３１０を介してアドオン通信装置４００に送信する（Ｓ３１７）。アドオン通信装置４００の制御部４７０は、端末装置通信部４５０を介して端末装置３００から命令を受信する。この際、命令が示す値の集合は、電気自動車１００の充電開始、電気自動車１００の充電中断、電気自動車充電関連情報の要求を含む。電気自動車１００の充電開始が示す値の集合は、電気自動車１００の高速充電開始及び低速充電開始を含む。
【０１２１】
アドオン通信装置４００の制御部４７０は、ケーブル設置型充電制御装置２００を制御するための制御命令を生成する（Ｓ３１８）。アドオン通信装置４００の制御部４７０は、端末装置３００から受信した命令、現在位置、設定情報、後述する監視結果である電気自動車１００の充電状態のうち少なくとも一つに基づいて制御命令を生成する。この際、命令が示す値の集合は、充電開始、充電中断、電気自動車充電関連情報の要求を含む。充電開始が示す値の集合は、高速充電開始及び低速充電開始を含む。
【０１２２】
一実施例において、端末装置３００から受信した命令が充電開始であるとき、アドオン通信装置４００の制御部４７０は充電開始を示す制御命令を生成する。
【０１２３】
一実施例において、端末装置３００から受信した命令が高速充電開始であるとき、アドオン通信装置４００の制御部４７０は高速充電開始を示す制御命令を生成する。
【０１２４】
一実施例において、端末装置３００から受信した命令が低速充電開始であるとき、アドオン通信装置４００の制御部４７０は低速充電開始を示す制御命令を生成する。
【０１２５】
一実施例において、端末装置３００から受信した命令が充電開始であり、設定された充電モードが高速充電モードであるとき、アドオン通信装置４００の制御部４７０は高速充電開始を示す制御命令を生成する。
【０１２６】
一実施例において、端末装置３００から受信した命令が充電開始であり、設定された充電モードが低速充電モードであるとき、アドオン通信装置４００の制御部４７０は低速充電開始を示す制御命令を生成する。
【０１２７】
一実施例において、端末装置３００から受信した命令が充電中断であるとき、アドオン通信装置４００の制御部４７０は充電中断を示す制御命令を生成する。
【０１２８】
一実施例において、端末装置３００から受信した命令が電気自動車充電関連情報の要求であるとき、アドオン通信装置４００の制御部４７０は、電気自動車充電関連情報の要求を示す制御命令を生成する。
【０１２９】
一実施例において、端末装置３００から受信した命令が充電開始であり、現在位置がホーム領域であるとき、アドオン通信装置４００の制御部４７０はホーム領域での設定された充電モードによる充電開始を示す制御命令を生成する。詳しくは、ホーム領域での設定された充電モードが高速充電モードであるとき、アドオン通信装置４００の制御部４７０は高速充電開始を示す制御命令を生成する。ホーム領域での設定された充電モードが低速充電モードであるとき、アドオン通信装置４００の制御部４７０は低速充電開始を示す制御命令を生成する。
【０１３０】
一実施例において、端末装置３００から受信した命令が充電開始であり、現在位置が公共領域であるとき、アドオン通信装置４００の制御部４７０は公共領域での設定された充電モードによる充電開始を示す制御命令を生成する。詳しくは、公共領域での設定された充電モードが高速充電モードであるとき、アドオン通信装置４００の制御部４７０は高速充電開始を示す制御命令を生成する。公共領域での設定された充電モードが低速充電モードであるとき、アドオン通信装置４００の制御部４７０は低速充電開始を示す制御命令を生成する。
【０１３１】
一実施例において、端末装置３００から受信した命令が充電開始であり、現在位置がホーム領域であるとき、アドオン通信装置４００の制御部４７０は低速充電開始を示す制御命令を生成する。
【０１３２】
一実施例において、端末装置３００から受信した命令が充電開始であり、現在位置が公共領域であるとき、アドオン通信装置４００の制御部４７０は高速充電開始を示す制御命令を生成する。
【０１３３】
一実施例において、端末装置３００から受信した命令が充電開始であり、監視の結果、電気自動車１００に供給された電力量が設定された充電許容量に到達したとき、アドオン通信装置４００の制御部４７０は充電中断を示す制御命令を生成する。
【０１３４】
一実施例において、端末装置３００から受信した命令が充電開始であり、現在位置がホーム領域であり、監視の結果、電気自動車１００に供給された電力量がホーム領域での設定された充電許容量に到達したとき、アドオン通信装置４００の制御部４７０は充電中断を示す制御命令を生成する。
【０１３５】
一実施例において、端末装置３００から受信した命令が充電開始であり、現在位置が公共領域であり、監視の結果、電気自動車１００に供給された電力量が公共領域での設定された充電許容量に到達したとき、アドオン通信装置４００の制御部４７０は充電中断を示す制御命令を生成する。
【０１３６】
そのために、アドオン通信装置４００の制御部４７０は電気自動車１００の現在位置を取得する。アドオン通信装置４００の制御部４７０は、全球測位システム（ＧＰＳ）情報、無線近距離ネットワークの基地局情報、無線遠距離ネットワークの基地局情報のうち一つ以上を利用して電気自動車１００の現在位置を取得する。
【０１３７】
現在位置が示す値の集合はホーム領域及び公共領域である。
【０１３８】
アドオン通信装置４００の制御部４７０は、生成した制御命令を、充電制御装置通信部４４０を介してケーブル設置型充電制御装置２００に送信する（Ｓ３１９）。充電制御装置通信部４４０の赤外線発光ダイオード４４１は、生成した制御命令に対応するデジタルパターンを有する赤外線を照射する。
【０１３９】
ケーブル設置型充電制御装置２００の制御部２７０は、受信した制御命令を実行する（Ｓ３２１）。
【０１４０】
詳しくは、ユーザ入力に対応する命令が電気自動車１００の充電開始であるとき、ケーブル設置型充電制御装置２００の制御部２７０は、ターンオフされたリレー２２０をターンオンして、電気自動車充電ケーブルアセンブリ２０がソケット３０の交流電力を電気自動車１００に供給する。
【０１４１】
ユーザ入力に対応する命令が電気自動車１００の高速充電開始であるとき、ケーブル設置型充電制御装置２００の制御部２７０は、ターンオフされたリレー２２０をターンオンして、電気自動車充電ケーブルアセンブリ２０がソケット３０の交流電力を電気自動車１００に高速に提供する。
【０１４２】
ユーザ入力に対応する命令が電気自動車１００の低速充電開始であるとき、ケーブル設置型充電制御装置２００の制御部２７０は、受信した命令ターンオフされたリレー２２０をターンオンして、電気自動車充電ケーブルアセンブリ２０がソケット３０の交流電力を電気自動車１００に低速に提供する。
【０１４３】
ユーザ入力に対応する命令が電気自動車１００の充電中断であるとき、ケーブル設置型充電制御装置２００の制御部２７０はターンオンされたリレー２２０をターンオフして、電気自動車充電ケーブルアセンブリ２０がそれ以上電気自動車１００を充電しないようにする。
【０１４４】
ユーザ入力に対応する命令が電気自動車充電関連情報の要求であるとき、ケーブル設置型充電制御装置２００の制御部２７０は電気自動車充電関連情報を収集する。
【０１４５】
ケーブル設置型充電制御装置２００の制御部２７０は、受信した命令に対応する応答を、アドオン装置通信部２１０を介してアドオン通信装置４００に送信する（Ｓ３２３）。ケーブル設置型充電制御装置２００のアドオン装置通信部２１０の赤外線発光ダイオードは、受信した命令に対応する応答に対応するデジタルパターンを有する赤外線を照射する。アドオン通信装置４００の制御部４７０は、充電制御装置通信部４４０を介してケーブル設置型充電制御装置２００から応答を受信する。
【０１４６】
ユーザ入力に対応する命令が電気自動車１００の充電開始であるとき、応答はリレー２２０の状態がターンオン状態であることを知らせる情報を含む。
【０１４７】
ユーザ入力に対応する命令が電気自動車１００の高速充電開始であるとき、応答はリレー２２０の状態が高速充電のためのターンオン状態であることを知らせる情報を含む。
【０１４８】
ユーザ入力に対応する命令が電気自動車１００の低速充電開始であるとき、応答はリレー２２０の状態が低速充電のためのターンオン状態であることを知らせる情報を含む。
【０１４９】
ユーザ入力に対応する命令が電気自動車１００の充電中断であるとき、応答はリレー２２０の状態がターンオフ状態であることを知らせる情報を含む。
【０１５０】
ユーザ入力に対応する命令が電気自動車充電関連情報の要求であるとき、応答は収集した電気自動車充電関連情報を含む。上述したように、電気自動車充電関連情報は電気自動車１００に対する情報と、電気自動車充電ケーブルアセンブリ２０に対する情報とのうち少なくとも一つを含む。
【０１５１】
アドオン通信装置４００の制御部４７０は、受信した応答を端末装置通信部４５０を介して端末装置３００に送信する（Ｓ３２５）。
【０１５２】
端末装置３００の制御部３３０は、応答を表示部３４０に表示する（Ｓ３２７）。ステップ１０９で説明した動作はステップ３２７の動作に適用可能であるため、ステップ３２７の動作のための詳細な説明は省略する。
【０１５３】
一方、アドオン通信装置４００の制御部４７０は、生成した命令が完了したか否かをチェックする（Ｓ３３１）。
【０１５４】
生成した制御命令が充電開始で充電許容量が設定されていてまだ充電が完了していない場合、アドオン通信装置４００の制御部４７０は生成した制御命令が完了していないと判断する。
【０１５５】
生成した制御命令が充電中電であるか、生成した制御命令が電気自動車充電関連情報の要求であるか、充電許容量が設定されていない状態であり、制御命令が充電開始であるとき、アドオン通信装置４００の制御部４７０は生成した制御命令が完了したと判断する。
【０１５６】
受信した制御命令が完了した場合、アドオン通信装置４００の制御部４７０は新たな設定情報又は新たな命令の受信を待機する。
【０１５７】
生成した制御命令が完了していない場合、アドオン通信装置４００の制御部４７０は電気自動車１００の充電状態を監視する（Ｓ３３３）。特に、アドオン通信装置４００の制御部４７０は電気自動車１００に供給された電力量を監視する。
【０１５８】
アドオン通信装置４００の制御部４７０は、電気自動車１００の充電状態及び設定情報のうち少なくとも一つに基づいてケーブル設置型充電制御装置２００に対する追加の制御命令が必要であるか否かをチェックするＳ３３５。詳しくは、アドオン通信装置４００の制御部４７０は、電気自動車１００に供給された電力量と設定された充電許容量を比較してケーブル設置型充電制御装置２００に対する追加の制御命令が必要であるか否かをチェックする。電気自動車１００に供給された電力量が設定された充電許容量に到達したとき、アドオン通信装置４００の制御部４７０はケーブル設置型充電制御装置２００に対する追加の制御命令が必要であると判断する。電気自動車１００に供給された電力量が設定された充電許容量に到達していないとき、アドオン通信装置４００の制御部４７０はケーブル設置型充電制御装置２００に対する追加の制御命令が必要ではないと判断する。
【０１５９】
追加の制御命令が必要でないときは、アドオン通信装置４００の制御部４７０は続けて電気自動車１００の充電状態を監視する。
【０１６０】
追加の制御命令が必要なときは、アドオン通信装置４００の制御部４７０は追加の制御命令を生成する（Ｓ３１８）。この際の制御命令の生成については既に説明したためここでは省略する。
【０１６１】
本発明の一実施例によると、上述した方法はプログラムが記録された媒体にプロセッサが読み込めるコードとして具現することができる。プロセッサが読み込める媒体の例としてはＲＯＭ，ＲＡＭ，ＣＤ−ＲＯＭ，磁気テープ、フレキシブルディスク、光データ記憶装置などがあり、搬送波（例えば、インターネットを介した伝送）の形で具現されることを含む。
【０１６２】
上述した移動端末機は、説明された実施例の構成及び方法に限られて適用されるのではなく、実施例は多様な変更が行われるように各実施例の全部又は一部を選択的に組み合わせて構成してもよい。
【図１】
0005926327.tif 000002
【図２】
0005926327.tif 000003
【図３】
0005926327.tif 000004
【図４】
0005926327.tif 000005
【図５】
0005926327.tif 000006
【図６】
0005926327.tif 000007
【図７】
0005926327.tif 000008
【図８】
0005926327.tif 000009
【図９】
0005926327.tif 000010